(57)【要約】【課題】  上方の隙間から漏れてくる音を簡単に防止することのできる可動間仕切り壁を提供することである。【解決手段】  間仕切り本体４の上端部側面に上側縁部に沿って設けた防音板６とからなる。そして、この防音板６を間仕切り本体４に上下方向に移動可能に取り付けている。【選択図】          図２
2006125104.tif 000002
【特許請求の範囲】
【請求項１】
間仕切り本体と、この間仕切り本体の上端部側面に上側縁に沿って設けられた防音板とからなり、この防音板は間仕切り本体に上下方向に移動可能に取り付けられていることを特徴とする可動間仕切り壁。
【請求項２】
間仕切り本体と、この間仕切り本体の上端部側面に上側縁に沿って設けられた防音板とからなり、この防音板は間仕切り本体に下端部を中心にして回動可能に取り付けられていることを特徴とする可動間仕切り壁。
【請求項３】
前記間仕切り本体には、上端に上下方向に伸縮自在な固定部が設けられ、この固定部を上下に伸縮させることによって間仕切り本体が床面と天井面との間に着脱自在になされていることを特徴とする請求項１または請求項２記載の可動間仕切り壁。
【発明の詳細な説明】
【技術分野】
【０００１】
本発明は、部屋を適当な大きさに区切ることのできる可動間仕切り壁に関する。
【背景技術】
【０００２】
建物の中に大きな部屋を設けていて、この部屋をそのまま使用したり、可動間仕切り壁で区切って小さな部屋として使用することが広く行われている。
例えば、大きな会議室を設けていて、会議に出席する人数に合わせて、可動間仕切り壁で区切って使用したり、住宅では、大きな居間を設けていて、来客時等に可動間仕切り壁で区切って一方を客室に使用したり、寝室や勉強部屋等を可動間仕切りが区切って複数の子供部屋にし、子供の数が少なくなったり居なくなるとこの可動間仕切り壁を取り除いて、別の目的に使用すること等がある。
【０００３】
この可動間仕切り壁としては、従来、種々な構造のものが知られている。
例えば、特許文献１に記載されているように、床面にレールを設けて、このレールの上を間仕切り本体を移動させる可動間仕切り壁が知られている。
また、特許文献２に記載されているように、天井面にレールを設け、このレールに間仕切り本体を吊り下げ、この間仕切り本体を移動させて、部屋を区切ることも行われている。
【０００４】
また、特許文献３に記載されているように、レールレスの可動間仕切り壁も知られている。
また、床面と天井面との間に着脱自在に取り付ける可動間仕切り壁も多く利用されている。
この可動間仕切り壁は、通常、収納場所に収納していて、使用するときには、収納場所から取り出して、立設した状態に複数個並べて部屋を区切るものである。この可動間仕切り壁は大規模な設備を必要としないので、住宅等の小形の建物に適している。
【０００５】
一方、音が通過し難い構造の防音パネルも、種々知られている。例えば、特許文献４に記載されている防音パネルがある。
この特許文献４に記載されている防音パネルは、表面吸音板と、中層遮音板と、裏面吸音板とからなるものであって、表面吸音板と裏面吸音板の材質は弾力性合成樹脂で、この弾力性合成樹脂の吸音機能により反射反響を抑制し  中層遮音板は弾力性合成樹脂の中にガラス粒子を混入したもので、ガラス粒子間での反射をこの弾力性合成樹脂で吸音させるものである。
【０００６】
【特許文献１】特開昭５４−２４４１９号公報
【特許文献２】特開２００３−２０８５０号公報
【特許文献３】特開２００４−８４２０８号公報
【特許文献４】特開平５−２７１１２号公報
【発明の開示】
【発明が解決しようとする課題】
【０００７】
しかしながら、特許文献１〜特許文献３に記載されているような可動間仕切り壁や着脱自在な可動間仕切り壁で、部屋を区切って使用すると、区切って形成された一方の部屋から可動間仕切り壁を通して他方の部屋へ音が漏れるという問題がある。
例えば、可動間仕切り壁で区切った一方の部屋で会議をし、他方で別の会議をしていると、一方の部屋の会議の音が他方の部屋に聞こえるという問題がある。
【０００８】
また、広い居間の一部を可動間仕切り壁で区切って客室とすると、客室の声が居間に聞こえたり、居間の声が客室に聞こえるという問題があるし、複数の子供部屋にすると、一方の子供部屋の声が隣の子供部屋に聞こえ勉強の邪魔になるという問題がある。
かかる問題を解決しようと、可動間仕切り壁の壁部分を特許文献４に記載されているような防音パネルにした可動間仕切り壁を製造し、この可動間仕切り壁を従来と同じように使用したところ、この可動間仕切り壁で区切った一方の部屋の声が他方の部屋の音が従来の可動間仕切り壁で区切ったときより聞こえ難くなったが、それでも不十分である。
【０００９】
この問題を種々検討した結果、可動間仕切り壁には、可動させるために、可動間仕切り壁の上下に隙間があって、この隙間から音が漏れることが判明した。
そこで、この上下の隙間を塞ごうとしたが、下方の隙間を板体やゴム板や充填材等で塞ぐことは簡単にできたが、上方の隙間は高い位置にあるので、この隙間を塞ぎ難く、そのために、この隙間から漏れてくる音を防止し難いことが判明した。
そこで、本発明の目的は、上方の隙間から漏れてくる音を簡単に防止することのできる可動間仕切り壁を提供することである。
【課題を解決するための手段】
【００１０】
本発明は上記目的を達成するためになされたものであって、請求項１に記載の発明は、間仕切り本体と、この間仕切り本体の上端部側面に上側縁に沿って設けられた防音板とからなり、この防音板は間仕切り本体に上下方向に移動可能に取り付けられているものである。
【００１１】
請求項２に記載の発明は、間仕切り本体と、この間仕切り本体の上端部側面に上側縁に沿って設けられた防音板とからなり、この防音板は間仕切り本体に視端部を中心にして回動可能に取り付けられているものである。
【００１２】
請求項３に記載の発明は、請求項１または請求項２に記載の発明に係り、前記間仕切り本体には、上端に上下方向に伸縮自在な固定部が設けられ、この固定部を上下に伸縮させることによって間仕切り本体が床面と天井面との間に着脱自在になされているものである。
【００１３】
本発明における間仕切り本体とは、可動間仕切り壁を構成する主要部分をいう。
本発明における防音板は、請求項１記載の発明では、間仕切り本体と天井との間の隙間を塞いで音を通し難くするものであるし、請求項２記載の発明では、音を吸収や遮断したり反射させて音を通し難くするものである。従って、音を吸収する吸音板や、音を反射させる反射板や、音を遮断する遮音板等が好ましいが、この隙間を塞いだり通過を邪魔するだけでも防音効果があるので、上記吸音板や反射板や遮音板以外の板体でもよい。
【００１４】
そして、この防音板は、間仕切り本体の上端部に上側縁に沿って設けられる。この防音板が上側縁に沿って設けられる構造としては、間仕切り本体を構成する表面の上端部を上側縁に沿って切欠し、この部分に設けたものでもよいし、間仕切り本体の上端部に上側縁に沿って突出した状態に設けるものでもよいが、前者の防音板が間仕切り本体の表面から突出しないので、好ましい。
そして、この防音板の表面模様を間仕切り本体と略同じにすると、全体が連続した壁に見えるので好ましい。
【００１５】
この防音板は、請求項１に記載の発明では、間仕切り本体に上下方向に移動可能に取り付けられている。
この上下方向に移動可能に取り付ける構造としては種々ある。例えば、防音板を突き上げる突き上げ棒を間仕切り本体の内部に設けていて、この突き上げ棒を手で押し上げたり引き下ろしたりして防音板を上下方向に移動させる構造でもよいし、間仕切り本体にスイッチや駆動装置を設け、このスイッチで駆動装置を駆動させて防音板を上下方向に移動させる構造でもよいし、手で防音板を上下方向に移動させる構造でもよい。なお、手で防音板を上下方向に移動させる構造であって、防音板に手が届かない場合には、可動間仕切り壁の前に台等を置き、この台等の上に上がって、防音板を上下方向に移動すればよい。
【００１６】
また、請求項２に記載の発明では、防音板が間仕切り本体に下端部を中心にして回動可能に取り付けられている。
かかる構造としては、種々ある。例えば、防音板の下端部を軸着したりヒンジ等で取り付け、防音板の上端に引っ掛け部を設けていて、この引っかけ部に引っ掛け棒の先端を引っ掛けて、回動させる構造でもよいし、間仕切り本体にスイッチやモーター等の駆動装置を設け、このスイッチを入れて駆動装置を駆動させて防音板を回動させる構造にしてもよいし、手で防音板を回動させる構造でもよい。なお、手で防音板を回動させる構造であって、防音板に手が届かない場合には、可動間仕切り壁の前に台等を置き、この台等の上に上がって、防音板を回動させればよい。
【００１７】
特に、天井が低い住宅等では、台の上に上がって防音板を上下に移動させたり、回動させる構造が安価であるので好ましい。
防音板を上下方向に移動させたり、回動させ、この状態に保持する使用がある。
この際、防音板の取付構造によっては自動的に防音板が移動したり回動した状態に保持できるものもあるが、保持できないようであれば、この防音板を保持する保持構造を設ければよい。
【００１８】
また、請求項１記載の発明や請求項２記載の発明における可動間仕切り壁は特許文献１に記載あるような床面にレールを設けた可動間仕切り壁でもよいし、特許文献２に記載あるような天井面にレールを設けた可動間仕切り壁でもよいし、特許文献３に記載あるようなレールレスでもよいし、床面と天井面との間に着脱自在に取り付ける可動間仕切り壁でもよい。
【００１９】
そして、床面と天井面との間に着脱自在に取り付ける可動間仕切り壁では、間仕切り本体を床面と天井面との間に固定する必要がある。この間仕切り本体を固定する手段としては適宜でよい。例えば、上下方向に移動可能に取り付けられている防音板を天井に押し付けて固定してもよいし、請求項３記載の発明のように、間仕切り本体の上端に上下方向に伸縮自在な固定部を設けてもよい。後者が、簡単に、しかも、強固に固定できるので好ましい。
【００２０】
請求項３記載の発明における間仕切り本体には、上端に上下方向に伸縮自在な固定部が設けられているが、この伸縮自在な固定部としては適宜な構造でよい。
例えば、固定部を固定片とネジ棒とからなるものにし、このネジ棒を間仕切り本体の上端面に螺入自在に取り付けていて、このネジ棒を螺入出することによって固定部を伸縮可能になす構造や、シリンダーと、このシリンダーの内部を往復するピストンと、ピストンの先端に取り付けられた固定片とからなるものとし、この圧縮空気を注入してピストンを移動させて固定部を上下方向に移動させて固定部を伸縮させる構造や、ピニオンのハンドルと、ラックの付いた棒状体とからなり、ハンドルを回転させて、棒状体を上下に移動させて固定部を伸縮させる構造等がある。
（作用）
【００２１】
請求項１に記載の発明では、間仕切り本体と、この間仕切り本体の上端部側面に上側縁に沿って設けられた防音板とからなり、この防音板は間仕切り本体に上下方向に移動可能に取り付けられているので、部屋を区切って使用したいときには、この間仕切り壁本体を部屋の所定位置に取り付け、防音板を上方向に移動させて、防音板を天井面に当接させる。
【００２２】
このようにすると、間仕切り本体と天井との間の隙間が防音板で塞がれ、区切られた部屋の一方から他方に音が通過し難くなる。
従って、区切られた部屋で安心して会議をしたり、談話をすることができる。
また、この可動間仕切り壁を取り付けたり、取り除いたり、移動させる場合には、防音板を下方の位置に移動させ、元の状態にする。すると、可動間仕切り壁全体の高さが床面と天井面との間の距離より小さくなり、可動間仕切り壁を所定位置に配置したり、取り除いたり、移動させる際に、この防音板が邪魔にならない。
【００２３】
請求項２に記載の発明では、間仕切り本体と、この間仕切り本体の上端部側面に上側縁に沿って設けられた防音板とからなり、この防音板は間仕切り本体に下端部を中心にして回動可能に取り付けられているので、部屋を区切って使用したいときには、この間仕切り壁本体を部屋の所定位置に取り付け、防音板の下端部を中心にして回動させて、防音板の上部を部屋の方向に移動させ、防音板を斜めに傾斜した状態にする。
【００２４】
このようにすると、傾斜した防音板が間仕切り本体と天井との間の隙間の前方を覆った状態になる。その結果、区切られ部屋で発生し、間仕切り本体と天井との間の隙間方向に向かった音がこの防音板で吸収されたり反射し、他方の部屋に達し難い。
従って、区切られた部屋で安心して会議をしたり、談話をすることができる。
【００２５】
また、この可動間仕切り壁を取り付けたり、取り除いたり、移動させる場合には、防音板を下端部を中心にして回動させて、元の状態、即ち、間仕切り本体に沿った状態にする。
すると、防音板が拡がった状態が元の間仕切り本体に沿った状態になり、可動間仕切り壁を所定位置に配置したり、取り除いたり移動させる際に、この防音板が邪魔にならない。
【００２６】
請求項３記載の発明では、請求項１または請求項２に記載の発明に係り、前記間仕切り本体には、上端に上下方向に伸縮自在な固定部が設けられ、この固定部を上下に伸縮させることによって間仕切り本体が床面と天井面との間に着脱自在になされているので、部屋を区切りたい場所に間仕切り本体を配置し、固定部を上方向に伸ばすことによって固定部の上端が上方向に移動して天井面に突き当たって、間仕切り本体が固定される。このようにして床面と天井面との間に間仕切り本体を簡単に取り付けることができる。
【００２７】
また、取り付けられた間仕切り本体の固定部を収縮させると、可動間仕切り壁全体の高さが床面と天井面の距離より小さくなり、可動間仕切り壁を簡単に所定位置に配置したり、取り外すことができる。
【発明の効果】
【００２８】
以上説明したように、請求項１に記載の発明は、間仕切り本体と、この間仕切り本体の上端部側面に上側縁に沿って設けられた防音板とからなり、この防音板は間仕切り本体に上下方向に移動可能に取り付けられているから、部屋を区切って使用したいときには、この間仕切り壁本体を所定位置に取り付け、防音板を上方向に移動させて、防音板を天井面に当接させる。すると、間仕切り本体と天井との間の隙間が塞がれ、区切られた部屋の一方から他方に音が通過し難くなり、区切られた部屋で安心して会議をしたり、談話をすることができる。
【００２９】
また、この可動間仕切り壁を所定位置に配置したり、取り除いたり、移動させる場合には、防音板を下方に移動させ、元の状態にすると、この防音板が邪魔にならない。
【００３０】
請求項２に記載の発明は、間仕切り本体と、この間仕切り本体の上端部側面に上側縁に沿って設けられた防音板とからなり、この防音板は間仕切り本体に下端部を中心にして回動可能に取り付けられているから、部屋を区切って使用したいときには、この間仕切り壁を所定位置に取り付け、防音板の下端部を中心にして防音板を回動させて、防音板の上部を部屋の方向移動させて傾斜した状態にする。すると、床と天井との間の隙間の前方を防音板が覆った状態になり、区切られ一方の部屋で発生し、間仕切り本体と天井との間の隙間方向に向かった音がこの防音板で吸収されたり反射し、他方の部屋に達し難くなり、区切られた部屋で安心して会議をしたり、談話をすることができる。
【００３１】
また、この可動間仕切り壁を所定位置に配置したり、取り除いたり、可動間仕切り壁を移動させる場合には、防音板を下端部を中心にして回動させて、元の状態、即ち、間仕切り本体に沿った状態にすると、防音板が邪魔にならない。
【００３２】
請求項３記載の発明は、請求項１または請求項２に記載の発明に係り、前記間仕切り本体には、上端に上下方向に伸縮自在な固定部が設けられ、この固定部を上下に伸縮させることによって間仕切り本体が床面と天井面との間に着脱自在になされているので、部屋を区切りたい場所に間仕切り本体を配置し、固定部の上端が天井面に突き当たるまで、固定部を伸ばして、間仕切り本体を床面と天井面との間に簡単に取り付けることができるし、取り付けられている間仕切り本体の固定部を収縮させて可動間仕切り壁を簡単に取り外すことができる。
【発明を実施するための最良の形態】
【００３３】
以下、本発明を実施するための最良の形態を実施例で示す。
【実施例１】
【００３４】
図１〜図３は、本発明の一実施例を示すものであって、図１は建物の１階の間取りを示す平面図、図２は可動間仕切り壁を示すもので、（ａ）は一部切欠斜視図、（ｂ）は（ａ）のＡ−Ａ線における断面図、（ｃ）は（ａ）のＢ−Ｂ線における断面図、図３は建物の居室に可動間仕切り壁を取り付けた状態を示す断面図である。
【００３５】
図１〜図３において、１は、木造２階建ての建物であり、この建物１の１階の間取りは、玄関１１、廊下１２、便所１３、洗面所１３５、台所１４、浴室１５、居室１６、食堂１７、階段１８、収納庫１９とからなる。
玄関１１は土間１１１、下駄箱１１２、玄関ホール１１３とからなる。
台所１４には勝手口１４１と厨房装置１４２が設けられている。
浴室１５には脱衣室１５１が設けられている。
居室１６には押入れ１６１が設けられている。
階段１８の下と背後には収納室１９となっている。
【００３６】
３は可動間仕切り壁であり、この可動間仕切り壁３は、図２に示すように、間仕切り本体４と防音板６とからなり、常時、収納室１９の中に収納されていて、必要があれば取り出して使用するようになっている。
【００３７】
間仕切り本体４は、枠４１と、壁面材４２と、表面材４３と、防音板取付部５とからなり、高さが略２６００ｍｍ、幅が略９００ｍｍの矩形状をしている。
枠４１は木製の長尺体を、高さが略２２００ｍｍ、幅が略９００ｍｍの矩形状に組み立てた枠材４１１と、この内部に差し渡された桟材４１２とからなり、厚みが略４４ｍｍである。そして、この枠４１の下端面にはゴム板４９が取り付けられている。
【００３８】
壁面材４２は厚みが略１２．５ｍｍの石膏ボード製の板体であり、この壁面材４２は枠３１の両側面に取り付けられている。
化粧材４３は、塩化ビニル樹脂製の化粧フィルムであり、この化粧材４３は壁面材４２の表面に貼り付けられている。
防音板取付部５は、枠５１と、面材５２と、化粧材５３と、ガイドレール５４と、固定部７とからなる。
【００３９】
枠５１は木製の長尺体を高さが略４００ｍｍ、幅が略９００ｍｍの矩形状に組み立てたものであり、下枠５１１、上枠５１２、両側の側枠５１３とからなる。そして、この上枠５１２には、後述の固定部７のネジ棒７１を通過させるための通孔５１４が設けられている。
面材５２は厚みが略１２ｍｍの合板製の板体である。
【００４０】
化粧材５３は、前記化粧材４３と同じ種類の塩化ビニル樹脂製の化粧フィルムであり、面材５２の表面に貼り付けられている。
ガイドレール５４は枠５１の両側の側枠５１３に取り付けられていて、このガイドレール５４には、防音板６をスライド可能に取り付けるための溝５４１が設けられている。
固定部７は、ネジ棒７１と、ナット７２と、押圧板７３と、ゴム板７４と、ハンドル７５とからなる。
【００４１】
ネジ棒７１は、長さが略３００ｍｍであり、このネジ棒７１の上端には押圧板７３とゴム板７４からなる重合体が取り付けられている。
ナット７２はネジ棒が螺入可能な雌ネジが設けられたものであり、このナット７２は枠５１の上枠に設けられた通孔５１３の下側縁に取り付けられている。そして、このナット７２にネジ棒７１を螺入出させると、ネジ棒７１の先端に取り付けられている押圧板７３とゴム板７４からなる重合体が上下方向に移動するようになっている。
ハンドル７５はネジ棒７１を回転させるものであって、ネジ棒７１の上部に固定されている。
【００４２】
防音板６は、高さが略４００ｍｍ、幅が略９００ｍｍ、厚みが略１２ｍｍの合板製の本体６１と、この本体６１の表面に貼り付けられた化粧材６２からなる。本体６１は合板製の板状体であり、化粧材６２は、前記化粧材４３と同じ種類の塩化ビニル樹脂製の化粧フィルムである。
このように、壁面材４２の表面に貼り付けられた化粧材４３、防音板取付部５に貼り付けられた化粧材５３、防音板６の表面に貼り付けられた化粧材６２は同じ種類であるので、これ等を組み立てた可動間仕切り壁３は全体が連続した状態に見えて美麗である。
【００４３】
そして、この防音板６にはネジ孔が設けられ、このネジ孔に蝶ボルト６５が螺入されていて、この蝶ボルト６５を更に螺入すると、この蝶ボルト６５の先端が防音板取付部５の面材５２の表面を押して、防音板６を適宜場所に固定することができるようになっている。
【００４４】
次に、この可動間仕切り壁３の製造方法を説明する。
先ず、本体６１の表面に化粧材６２を貼り付けて防音板６を製造する。
また、木製の長尺体を矩形状に組み立てて枠５１を製造し、この枠５１の両側面に面材５２を取り付け、この面材５１の表面に化粧材５３を貼り付け、枠５１の上枠５１２に通孔５１５を設け、枠５１の両側枠の両側にガードレール５４を取り付けて防音板取付部５を製造する。
【００４５】
また、木製の長尺体を矩形状に組み立てて枠材４１１とし、この枠材４１１の中に桟材４１２を差し渡したりして枠４１を製造し、この枠４１の両面に壁面材４２を取り付け、この壁面材４２の表面に化粧材４３を貼り付ける。
次に、前に製造した防音板取付部５をこの枠４１の上側に取り付けると、間仕切り本体４が完成するが、更に、この間仕切り本体４に固定部７を取り付ける。
【００４６】
この固定部７を間仕切り本体４に取り付ける方法は、ネジ棒７１の先端に押圧板７３とゴム板７４の重合体を取り付け、上部にハンドル７６を取り付ける。そして、枠５１の上枠５１２に設けられている通孔５１の下側面にナット７２を取り付けて、このナット６にネジ棒７１を螺入する。すると、固定部７が間仕切り本体４に取り付けられる。
次に、間仕切り本体４の防音板取付部５のガイドレール５４に、前に製造した防音板６を、上方からスライドさせて、取り付けると可動間仕切り壁３が完成する。
【００４７】
このようにして完成した可動間仕切り壁３は、間仕切り本体４と、この間仕切り本体４の上端部側面に上側縁に沿って設けられた防音板６とからなる。そして、この防音板６は間仕切り本体４のガイドレール５４に沿って上下方向に移動可能に取り付けられている。
【００４８】
次に、この可動間仕切り壁３の使用方法と作用について説明する。
常時、収納室１９の中に可動間仕切り壁３を、固定部７のネジ棒７１が下方向に移動し、防音板６が間仕切り本体４に沿った状態（以後元の状態と称する）にして、収納している。
そして、来客等で、この居間１６を可動間仕切り壁３で区切って客室にしたいときには、この収納室１９から可動間仕切り壁３を取り出して、居室１６の適宜場所（図１の点線で示す位置）に可動間仕切り壁３を立設した状態に配置する。
【００４９】
そして、この可動間仕切り壁３の前に台を置き、この台の上に立ち、ハンドル７６を持ってネジ棒７１を回転させると、ネジ棒７１が上方向に前進し、ネジ棒５５の先端に設けられている押圧板７３とゴム板７４の重合体が天井面を下方から押圧すると同時に、間仕切り本体４の下端に取り付けられているゴム板４９が床面を押圧し、可動間仕切り壁３が固定される。このようにして、可動間仕切り壁３を複数個並べて居間１６に取り付け、壁を設ける。
【００５０】
次に、防音板６を手で上方にスライドさせ、防音板６の先端を天井面に衝突させた後に、防音板６のネジ孔に螺入されている蝶ボルト６５を更に螺入すると、蝶ボルト６５の先端が防音板取付部５の表面を押して、防音板６が固定される。
このようにして可動間仕切り壁３で居室１６を区切って形成された一方の部屋に来客を招き入れて談話をする。
このようにすると、防音板６が上方向に移動して、間仕切り本体４と天井との間の隙間を塞いでいるので、区切られた一方の部屋から他方の部屋に音が通過し難く安心して会談をすることができる。
【００５１】
次に、来客が帰り、居室１６を元の大きさにしたいときには、蝶ボルト６５を螺出させ、この防音板６を下方向に移動させ、ハンドル５７を持ってネジ棒５５を回転させて下方に移動させると、ネジ棒７１の先端から間仕切り本体４の下端までの長さが短くなり、天井面を押圧していたゴム板７４や防音板６が天井面から離れたり、床面を押圧していたゴム板４８が床面から離れるので、可動間仕切り壁３を簡単に取り外すことができる。
そして、この可動間仕切り壁３を移動させて収納室１９に収納する。
【００５２】
このように可動間仕切り壁３を適宜位置に配置したり、取り外したり、移動させるときには、可動間仕切り壁３が元の状態になっているので、この防音板６が邪魔にならない。
このようにして可動間仕切り壁３を使用するのであるが、この効果を確認するために、この実施例１の可動間仕切り壁３を取り付けたときと、防音板６がなく、その他は略同じ可動間仕切り壁を取り付けたときの防音効果を比較したところ、実施例１の可動間仕切り壁３を取り付けたときには、隣の部屋の音が３０デシベル低下したが、防音板６のない可動間仕切り壁では１５デシベルしか低下しなかった。
【実施例２】
【００５３】
図４は、本発明の他の実施例を示すものであって、建物の居室に可動間仕切り壁を取り付けた状態を示す断面図である。
この図４に示す実施例２を図１〜図３に示す実施例１と比較すると、防音板６ａの取付構造が異なるので、この異なる場所を中心にして説明する。
防音板取付部５ａは、枠５１ａと、伸縮杆５６ａと、ヒンジ５７ａと、固定部７ａとからなる。
【００５４】
枠５１ａと、固定部７ａは、実施例１と略同じであるので，説明を省略する。
なお、この実施例２では実施例１に設けられている防音板取付部の面材や化粧材やガイドレール等が設けられてない。
伸縮杆５６ａは、２本の棒状体５６１ａ、５６１ａの一端が軸着されていて、回動自在に連結されたものであって、２本の棒状体５６１ａ、５６１ａを一端部を中心にして回動させると、２本の棒状体５６１ａ、５６１ａの連結されてない両端の先端間の距離が伸縮するようになっている。
【００５５】
防音板６ａは、実施例１と略同じ構造をしているので説明を省略するが、この防音板６ａの取付構造が異なるので、この防音板６ａの取付構造について説明する。
この防音板６ａの下端部は、ヒンジ５７ａを介して防音板取付部５ａの下端部に連結され、上端部は、伸縮杆５６ａを介して防音板取付部５ａの上端部に連結されている。従って、この防音板６ａは防音板取付部５ａに、下端部を中心にして回動自在に取り付けられている。
また、この防音板６ａの上端部には、この防音板６ａを引き寄せたり押し込んだりできるように把手５８ａが取り付けられている。
【００５６】
次に、この可動間仕切り壁３の使用方法と作用について説明する。
常時、収納室の中に可動間仕切り壁３ａを元の状態にして収納していて、居間を可動間仕切り壁３で区切って客室にしたいとき等では、この収納室から可動間仕切り壁３ａを取り出して、居室の適宜位置に可動間仕切り壁３ａを配置し、この可動間仕切り壁３ａの前に台を置き、この台の上に立って、ハンドルを持ってネジ棒回転させて、可動間仕切り壁３ａを固定すること、この可動間仕切り壁３ａを複数個並べて壁を設けることは実施例１と略同じである。
【００５７】
次に、把手５８ａを持って防音板６ａを引き寄せると、図４に示すように、伸縮杆５６ａが延びると同時に、防音板６ａが先端部を中心にして回動して、斜め下方に傾斜した状態になる。すると、防音板６ａが間仕切り本体４ａと天井との隙間の前方を覆った状態になるので、可動間仕切り壁３ａで区切った一方の部屋で発生し、間仕切り本体４と天井との間の隙間方向に向かった音は、この防音板６ａで吸収されたり反射し、他方の部屋に達し難く、安心して談話をすることができる。
【００５８】
来客が帰り、居室１６ａを元の大きさにしたいときには、把手５８ａを持って押して、防音板６ａを下端部を中心にして回動させて、元の状態、即ち、間仕切り本体４ａに沿った状態にした後に、ハンドルを持ってネジ棒を回転させて、間仕切り壁本体４ａを元の状態にして、可動間仕切り壁３ａを取り外し、可動間仕切り壁３ａを移動させ、可動間仕切り壁３ａを元の収納室１９ａに収納する。
【００５９】
このようにすると、防音板６ａを元の状態になっている可動間仕切り壁３ａを配置したり、取り外したり、移動させるときに、この防音板６が邪魔にならない。
このように可動間仕切り壁３ａを使用するのであるが、この効果を確認するために、実施例１と同様にして音の低下を測定したところ、隣の部屋の音が２５デシベル低下した。
一方、防音板６ａのない可動間仕切り壁の音の低下は１５デシベルであるので、この防音板６ａがある方が効果が大きいことが判った。
【産業上の利用可能性】
【００６０】
この実施例では、床面と天井面との間に着脱自在に取り付ける可動間仕切り壁について説明したが、床面にレールを設けたり、天井面にレールを設けて、このレールに沿って移動する可動間仕切り壁でもよい。
また、間仕切り本体として、枠体と表面に石膏ボードの板体を取り付けたものを使用し
【００６１】
、防音板として、合板を使用したが、これ等に、特許文献４に記載されているような防音パネルを使用してもよい。
また、間仕切り本体を固定する構造としてはネジ棒等を利用したがその他の方法でもよい。
また、防音板を実施例１では手で移動させ、蝶ボルトで固定するし、実施例２では把手を持って移動させたが、機械的手段や電気的手段で移動させてもよい。
また、実施例２では防音板取付部には面材がないが、この面材を設けてもよい。
【図面の簡単な説明】
【００６２】
【図１】実施例１の建物の１階の間取りを示す平面図である。
【図２】実施例１の可動間仕切り壁を示すもので、（ａ）は一部切欠斜視図、（ｂ）は（ａ）のＡ−Ａ線における断面図、（ｃ）は（ａ）のＢ−Ｂ線における断面図である。
【図３】実施例１の建物の居室に可動間仕切り壁を取り付けた状態を示す断面図である。
【図４】実施例２の建物の居室に可動間仕切り壁を取り付けた状態を示す断面図である。
【符号の説明】
【００６３】
１            建物
３、３ａ      可動間仕切り壁
４            間仕切り本体
５、５ａ      防音板取付部
６、６ａ      防音板
７、７ａ      固定部
【図１】
2006125104.tif 000003
【図２】
2006125104.tif 000004
【図３】
2006125104.tif 000005
【図４】
2006125104.tif 000006